(57)【要約】【課題】立体感のある表示演出が可能な表示装置を提供する。【解決手段】表示装置は、透光性の板状に形成された本体部３３と、本体部３３を挟んで互いに距離を隔てて対向する一対の表面部３５，３８と、を有する透光板３０を備える。また表示装置は、一対の表面部３５，３８のうち一方の表面部３８に設けられ、発光する第２表面発光部３９と、一対の表面部３５，３８のうち他方の表面部３５に設けられ、発光する第１表面発光部３６と、を備える。【選択図】図３
2020024297.tif 000002
【特許請求の範囲】
【請求項１】
透光性の板状に形成された本体部（３３）と、前記本体部を挟んで互いに距離を隔てて対向する一対の表面部（３５，３８，２３５，２３８，３３５，３３８）と、を有する透光板と、
前記一対の表面部のうち一方の表面部（３８，２３８，３３８）に設けられ、発光する一表面発光部（３９，２３９，３３９）と、
前記一対の表面部のうち他方の表面部（３５，２３５，３３５）に設けられ、発光する他表面発光部（３６，２３６，３３６）と、を備える表示装置。
【請求項２】
前記透光板よりも目視側とは反対側の背面側において、前記透光板と重畳するように配置され、情報を表示する情報表示部（２３）を、さらに備える請求項１に記載の表示装置。
【請求項３】
前記一表面発光部（３９，２３９，３３９）は、前記情報表示部の表示内容を加飾する部位に配置され、
前記他表面発光部（３６，２３６，２３９）は、前記情報表示部の表示内容と組み合わされて、情報を表示する部位に配置されている請求項２に記載の表示装置。
【請求項４】
前記他表面発光部は、車両の状態を表す表示を発光する請求項３に記載の表示装置。
【請求項５】
光源光を発する光源部（４０）を、さらに備え、
前記透光板は、前記光源部からの前記光源光を前記本体部に導入し、
前記一表面発光部及び前記他表面発光部のうち少なくとも片方は、前記本体部に導入された前記光源光を反射して発光する反射部を有する請求項１から４のいずれか１項に記載の表示装置。
【請求項６】
前記一表面発光部は、前記反射部としての一表面反射部を有し、前記他表面発光部は、前記反射部としての他表面反射部を有し、
前記一表面反射部は、前記光源光を前記他方の表面部側に反射し、前記他表面反射部は、前記光源光を前記一方の表面部側に反射する請求項５に記載の表示装置。
【請求項７】
前記反射部は、前記本体部に導入された前記光源光を反射する反射素子（６０）を、複数有し、前記反射素子の集合により形成された図柄（ＰＴＮ）を面状に発光する集合面状発光構造（ＰＬＳ）を含む請求項５又は６に記載の表示装置。
【請求項８】
前記反射部は、輪郭が情報を表すように形成された側壁面（５１）と、前記側壁面に囲まれて底を形成する底面（５２）を有する反射穴（５０）を有し、前記本体部に導入された前記光源光を前記反射穴が反射して発光する反射穴発光構造（ＨＬＳ）を含む請求項５から７のいずれか１項に記載の表示装置。
【請求項９】
目視側から視認される前記一表面発光部の輝度と、目視側から視認される前記他表面発光部の輝度とは、互いに異なるように設定されている請求項１から８のいずれか１項に記載の表示装置。
【請求項１０】
前記一方の表面部は、前記他方の表面部よりも目視側に位置し、
目視側から視認される前記一表面発光部の輝度は、目視側から視認される前記他表面発光部の輝度よりも、低く設定されている請求項１から９のいずれか１項に記載の表示装置。
【請求項１１】
前記一表面発光部と、前記他表面発光部とは、前記透光板の板厚方向（ＴＤ）において部分的に重畳している請求項１から１０のいずれか１項に記載の表示装置。
【請求項１２】
前記一表面発光部及び前記他表面発光部のうち少なくとも片方は、透光性を有し、自発光する透過自発光部（ＴＳＬ）を有する請求項１から１１のいずれか１項に記載の表示装置。
【請求項１３】
前記一表面発光部は、前記透過自発光部としての一表面透過自発光部を有し、前記他表面発光部は、前記透過自発光部としての他表面透過自発光部を有し、
前記一表面透過自発光部の輝度と、前記他表面透過自発光部の輝度とを、互いに異ならせるように制御する輝度制御部を、さらに備える請求項１２に記載の表示装置。
【請求項１４】
前記透過自発光部は、エレクトロルミネッセンスを用いて自発光する請求項１２又は１３に記載の表示装置。
【請求項１５】
前記透過自発光部は、有機エレクトロルミネッセンスを用いて自発光する請求項１２から１４のいずれか１項に記載の表示装置。
【発明の詳細な説明】
【技術分野】
【０００１】
この明細書による開示は、表示装置に関する。
【背景技術】
【０００２】
従来、表示装置が知られている。特許文献１に記載の表示装置は、透光性の板状に形成された本体部と、当該本体部を挟んで互いに距離を隔てて対向する一対の表面部と、を有する透光板を備えている。そして、一対の表面部のうち一方の表面部に、発光する発光部が設けられている。
【先行技術文献】
【特許文献】
【０００３】
【特許文献１】特開２０１６−１２１８９０号公報
【発明の概要】
【発明が解決しようとする課題】
【０００４】
しかしながら、特許文献１の構成では、一対の表面部のうち他方の表面部には、発光部が設けられていない。一方の表面部のみに発光部を設けただけでは、十分に立体感のある表示演出が実現できていなかった。
【０００５】
開示されるひとつの目的は、立体感のある表示演出が可能な表示装置を提供することにある。
【課題を解決するための手段】
【０００６】
ここに開示された態様は、透光性の板状に形成された本体部（３３）と、本体部を挟んで互いに距離を隔てて対向する一対の表面部（３５，３８，２３５，２３８，３３５，３３８）と、を有する透光板と、
一対の表面部のうち一方の表面部（３８，２３８，３３８）に設けられ、発光する一表面発光部（３９，２３９，３３９）と、
一対の表面部のうち他方の表面部（３５，２３５，３３５）に設けられ、発光する他表面発光部（３６，２３６，３３６）と、を備える。
【０００７】
このような態様によると、一方の表面部に設けられた一表面発光部と、他方の表面部に設けられた他表面発光部とが、それぞれ発光する。したがって、透光板の本体部を挟んで互いに距離を隔てて対向する各位置から発光が実施される。故に、透光板の厚みを活用して、発光に立体感を生じさせることができるので、立体感のある表示演出を実現することができる。
【０００８】
なお、括弧内の符号は、後述する実施形態の部分との対応関係を例示的に示すものであって、技術的範囲を限定することを意図するものではない。
【図面の簡単な説明】
【０００９】
【図１】第１実施形態の表示装置の右側を部分的に示す正面図である。
【図２】図１のII−II線断面図である。
【図３】図２のIII部を拡大して示す拡大図であって、（ａ）正面図、（ｂ）断面図である。
【図４】第１実施形態の集合面状発光構造を拡大して示す平面図である。
【図５】図４のV−V線断面図である。
【図６】図５のVI−VI線断面図である。
【図７】第２実施形態の表示装置の左側を部分的に示す正面図である。
【図８】図７のVIII−VIII線断面図である。
【図９】図２のIX部を拡大して示す拡大図であって、（ａ）正面図、（ｂ）断面図である。
【図１０】第３実施形態の表示装置における透光板及び輝度制御部を示す正面図である。
【図１１】第３実施形態の透光板の断面図である。
【図１２】変形例の透光板の断面図である。
【発明を実施するための形態】
【００１０】
以下、複数の実施形態を図面に基づいて説明する。なお、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１１】
（第１実施形態）
図１に示すように、本開示の第１実施形態による表示装置１００は、車両に用いられる車両用表示装置であって、当該装置１００を視認する視認者としての乗員が着座する座席とは対向するインストルメントパネルに設置されている。表示装置１００は、乗員が位置することとなる目視側へ向けて車両の情報を表示可能となっている。
【００１２】
なお、本実施形態において、上下、前後、左右が示す方向は、水平面上の車両を基準として記載される。
【００１３】
このような表示装置１００は、図２にも示すように、ケース部１０、本体表示部２０、透光板３０、及び透光板用光源部４０等により構成されている。
【００１４】
ケース部１０は、背面側ケース１１、目視側ケース１２、見返し部材１３、及びフロント板１４を有している。背面側ケース１１は、例えば合成樹脂により遮光性に形成されており、メイン回路基板２１を目視側とは反対側の背面側から覆っている。
【００１５】
背面側ケース１１よりも目視側に配置された目視側ケース１２は、例えば合成樹脂により遮光性に形成されており、本体表示部２０を装置１００の外周側から包囲する変形筒状の外枠部１２ａを形成していると共に、ケース内部空間を仕切る仕切り部１２ｂを形成している。なお、ここでいう装置１００の外周側とは、目視側から表示装置１００を見た場合の装置中心部から放射状に装置側方部の各位置へ向かう方向及びその逆の方向を、径方向と定義した場合に、径方向外側を示す。また、装置１００の内周側とは、径方向内側を示す。
【００１６】
見返し部材１３は、例えば合成樹脂により遮光性に形成されており、目視側ケース１２よりも目視側に配置されている。見返し部材１３は、目視側及び背面側に開口部を有し、装置１００の外周に沿った変形筒状に形成されている。
【００１７】
フロント板１４は、例えば着色されたアクリル樹脂ないしはポリカーボネイト樹脂等の半透光性樹脂により、見返し部材１３の目視側開口部の全面を塞ぐ曲面板状に形成されている。これにより、本体表示部２０の露出部分及び透光板３０は、フロント板１４を通して乗員に視認されることとなる。本実施形態のフロント板１４は、スモーク調の着色により、光の透過率が３０％程度に設定されているが、３０％以上の任意の値に設定されていてもよい。
【００１８】
本体表示部２０は、上述のメイン回路基板２１の他、背景表示板２２、指針部２３、及び画像表示部２６を有している。背景表示板２２は、一般的に文字板とも呼ばれており、目視側ケース１２において目視側に開口する開口部を全面的に塞ぐように配置されている。背景表示板２２は、例えば透光性を有する合成樹脂からなる基材の表面に、半透光性又は遮光性の印刷が部分的又は全体的に施されて、平板状に形成されている。なお、印刷に代えて、塗装が施されていてもよい。
【００１９】
背景表示板２２における遮光性の印刷等による遮光領域は、後述する透光板３０の表面発光部３６，３９による表示が引き立つように、当該表面発光部３６，３９と対向し、かつ重畳する箇所において、暗色、特に黒色に設定されている。また、背景表示板２２よりも背面側のメイン回路基板２１上に配置された発光素子２０ａが導光体２０ｂを通じて背景表示板２２の透光領域又は半透光領域を照明することで、背景表示板２２では、インジケータランプ２２ａ及び加飾模様を点灯することが可能となっている。
【００２０】
画像表示部２６は、表示装置１００の中央の領域かつ背景表示板２２よりも背面側に配置されている。本実施形態の画像表示部２６には、薄膜トランジスタ（Thin Film Transistor、ＴＦＴ）を用いたいわゆるＴＦＴ方式の液晶表示器が採用されている。背景表示板２２において画像表示部２６の表示画面と対向する領域は、透光領域又は半透光領域、若しくは物理的に開口する開口部に設定されていることにより、表示画面に表示される画像を、背景表示板２２、透光板３０、及びフロント板１４を通して目視側に視認させることが可能となっている。
【００２１】
指針部２３は、表示装置１００の右側の領域及び左側の領域にそれぞれ配置されることで、複数（例えば２つ）設けられている。ここで、２つの指針部２３は、互いに同様の構成となっているため、右側の指針部２３について代表して説明する。
【００２２】
指針部２３は、ステッピングモータ２４及び指針２５を有している。ステッピングモータ２４は、メイン回路基板２１に保持されている。
【００２３】
指針２５は、連結部２５ａ及び指示部２５ｂを一体的に有している。連結部２５ａは、背景表示板２２に開けられた貫通穴を通して配置されており、ステッピングモータ２４の回転軸と連結されている。指示部２５ｂは、背景表示板２２と透光板３０との間に、すなわち背景表示板２２よりも目視側かつ透光板３０よりも背面側に配置されており、針状を呈している。指針２５は、ステッピングモータ２４の出力に応じて回転軸を回転中心として回動するようになっており、透光板３０の表面発光部３６によって表示された指標を指示することで、車両の情報が表示されるようになっている。
【００２４】
こうして指針部２３は、透光板３０よりも背面側において、透光板３０と重畳するように配置された情報表示部として機能する。また、指針２５は、メイン回路基板２１上に配置された発光素子２０ｃから照明されることで発光するようになっている。
【００２５】
透光板３０は、例えばアクリル樹脂ないしはポリカーボネイト樹脂等の透光性を有する合成樹脂により、平板状に形成されている。透光板３０は、本体表示部２０よりも目視側に配置され、背景表示板２２とは実質平行に設けられている。透光板３０は、左右方向を長手方向とする略矩形状の外周輪郭により、外縁部３１を形成している。
【００２６】
透光板３０は、透光性の板状に形成されて媒質に充たされた本体部３３と、当該本体部３３を板厚方向ＴＤに挟んで互いに距離を隔てて対向する一対の表面部３５，３８と、を有している。本体部３３は、板厚を２〜４ｍｍの範囲、例えば３ｍｍ程度に形成しているが、板厚をより大きくしてもよい。一対の表面部３５，３８は、背面側に位置し、背景表示板２２と対向する第１表面部３５と、目視側に位置する第２表面部３８と、により構成されている。
【００２７】
導光板用光源部（以下、単に光源部と記載する）４０は、外縁部３１に対向するように配置されている。特に本実施形態の光源部４０は、外縁部３１のうち左側の一辺及び右側の一辺を構成する端部３２に対向して、左右合計２箇所に設けられている。ここで、２つの光源部４０は、左右が反対となっていることを除けば、互いに同様の構成となっているので、右側の光源部４０について代表して説明する。
【００２８】
光源部４０は、端部３２の延伸方向に沿って、当該端部３２とは所定の間隔を空けて配置された光源用回路基板４１上に、互いに所定のピッチで並べられた複数（例えば５個）の発光素子４２を有している。各発光素子４２には、点光源状の発光ダイオードが採用されており、各発光素子４２は、電源と接続されることで光源光を発する。特に本実施形態では、各発光素子４２がマルチカラーの発光ダイオードとなっているが、同じ光源部４０に属する発光素子４２は、互いに実質同一の色及び実質同一の輝度で発光するようになっている。
【００２９】
光源部４０は、目視側ケース１２と見返し部材１３との間に形成され、装置外部に対して閉じられた収容空間４３に収容されている。これにより、光源光の装置外部への漏光が抑制されている。
【００３０】
このようにして、各発光素子４２からの光源光は、当該各発光素子４２から端部３２へ向かう左右方向に沿った入射方向ＰＤにより、各発光素子４２と対向する外縁部３１を通じて、透光板３０の本体部３３（媒質の内部）へと導入される。すなわち、外縁部３１の端部３２は、光源部４０から発せられた光源光を透光板３０へと入射させる入射部として機能する。
【００３１】
透光板３０は、本体部３３に導入された光源光を利用して表示を行なう。図３に示すように、本実施形態の第１表面部３５には、第１表面発光部３６が設けられ、第２表面部３８には、第２表面発光部３９が設けられている。基本的には、表示装置１００において第１表面発光部３６及び第２表面発光部３９のうち、右側の領域に配置された表示は、これらに対応する右側の光源部４０からの光源光を利用している。表示装置１００において第１表面発光部３６及び第２表面発光部３９のうち、左側の領域に配置された表示は、これらに対応する左側の光源部４０からの光源光を利用している。すなわち、表示に対して最も近い位置の光源部４０が発光表示に主に利用されることとなる。
【００３２】
第１表面発光部３６は、光源光を反射することにより発光する反射部として機能する反射穴発光構造ＨＬＳを含んでいる。特に本実施形態の第１表面発光部３６は、全て反射穴発光構造ＨＬＳにより構成されている。
【００３３】
反射穴発光構造ＨＬＳは、複数の反射穴５０を有している。各反射穴５０は、透光板３０の板厚方向ＴＤに沿って目視側へ凹むように形成されている。各反射穴５０は、乗員が１つ１つの形状を巨視的に把握可能なサイズに形成されている。各反射穴５０は、その輪郭が情報を表示するように形成された側壁面５１、及び側壁面５１に外周を囲まれるように当該側壁面５１と接続され、反射穴５０の底部を形成する底面５２を有している。
【００３４】
側壁面５１は、本体部３３に導入された光源光を受光して、当該光源光を反射することにより、発光して表示されるようになっている。特に本実施形態では、側壁面５１は、鏡面状に形成され、本体３３部の内部を様々な角度で進む光源光を鏡面反射して、発光する。こうした反射は、目視側及び背面側の両方へ向けてなされる。
【００３５】
底面５２は、第１表面部３５と平行に配置されること又は第１表面部３５に対して傾斜して配置されること等により形成され、当該光源光を反射することにより、発光して表示されるようになっている。特に本実施形態では、底面５２は、シボ加工等により粗面状に形成されて、本体部３３の内部を様々な角度で進む光源光を拡散反射して、発光する。こうした反射は、目視側及び背面側の両方へ向けてなされるが、底面５２の拡散反射は主に目視側へ向けてなされるので、全体としては目視側への反射光量が背面側への反射光量よりも多くなっている。
【００３６】
図１，３に示すように、本実施形態の第１表面発光部３６には、反射穴５０として、側壁面５１による輪郭が目盛の形態をなす目盛反射穴５０ａ、及び側壁面５１による輪郭が文字の形態をなす文字反射穴５０ｂがそれぞれ複数ずつ設けられている。こうした目盛反射穴５０ａ及び文字反射穴５０ｂを主体として、指針２５によって指示される指標が構成されている。
【００３７】
複数の目盛反射穴５０ａは、指針２５が回動する回転中心に対して同心円状に、かつ部分円環状に配列されている。各目盛反射穴５０ａは、回転中心に対する放射方向に伸びる略矩形状の輪郭をなしている。複数の目盛反射穴５０ａは、さらに主目盛反射穴と、主目盛反射穴よりも小さなサイズの副目盛反射穴とに分かれており、主目盛反射穴と副目盛反射穴とは交互に配列されている。
【００３８】
複数の文字反射穴５０ｂは、回転中心を基準として主目盛反射穴よりも内周側に配置され、文字として、主目盛反射穴に対応する数字を、輪郭により形成している。
【００３９】
こうした各反射穴５０によって、表示装置１００における右側の領域では、指針部２３と連携して車両の速度を表示することが可能となっており、左側の領域では、指針部２３と連携して車両のエンジン回転数を表示することが可能となっている。こうして車両の状態を表す表示を発光する第１表面発光部３６は、透光板３０において、指針部２３の表示内容と組み合わされて、情報を表示する部位に配置されている。
【００４０】
第２表面発光部３９は、光源光を反射することにより発光する反射部として機能する集合面状発光構造ＰＬＳを含んでいる。特に本実施形態の第２表面発光部３９は、全て集合面状発光構造ＰＬＳにより構成されている。
【００４１】
集合面状発光構造ＰＬＳは、図４〜６に示すように、多数の反射素子６０を有している。各反射素子６０は、板厚方向ＴＤに沿って背面側へ凹むように形成されている。各反射素子６０は、第１表面発光部３６における反射穴５０とは異なり、乗員が１つ１つの形状を巨視的に把握困難なサイズに形成されている。各反射素子６０は、凹み深さ（板厚方向ＴＤに沿った寸法）が５〜２０μｍ程度の微細なサイズに形成されている。
【００４２】
多数の反射素子６０が第２表面部３８に沿って２次元的に並んで適宜配置されることにより、図柄ＰＴＮが形成されている。各反射素子６０が本体部３３に導入された光源光を反射することにより、図柄ＰＴＮが微細な反射素子６０の集合に基づいて面状に発光して、表示されるようになっている。
【００４３】
図１，３に示すように、特に本実施形態の図柄ＰＴＮは、指針２５が回動する回転中心に対して同心円状かつリング状のリング図柄となっている。具体的に、図柄ＰＴＮは、回転中心を基準として第１表面発光部３６の目盛反射穴５０ａよりも外周側に配置された外周リング部ＰＴＮ１、及び第１表面発光部３６の文字反射穴５０ｂよりも内周側に配置された内周リング部ＰＴＮ２という、二重のリング図柄を有している。
【００４４】
こうして第２表面発光部３９は、透光板３０において、指針部２３の表示内容を加飾する部位に配置されている。また、このような微細なサイズの反射素子６０を用いた第２表面発光部３９では、各反射素子６０同士が平坦部を介して離間して配置されていることもあり、光源部４０を消灯すると、図柄ＰＴＮが乗員から殆ど認識できなくなってしまう。
【００４５】
反射素子６０についてより詳細に説明する。本実施形態の反射素子６０は、全て複合反射素子６１となっている。
【００４６】
各複合反射素子６１は、背面側へ三角錐状に凹んで形成されている。各複合反射素子６１は、透光板３０の板厚方向ＴＤに沿って見た平面図上では、二等辺三角形状をなしている。各複合反射素子６１は、２つの傾斜面６２ａで構成された複合反射面６２、及び裏反射面６３を有している。
【００４７】
２つの傾斜面６２ａは、平面図上の二等辺三角形において等辺に対応する位置にそれぞれ配置されている。２つの傾斜面６２ａは、三角錘状の複合反射素子６１による各面のうち、対応する光源部４０側を向く２面として、外周輪郭が三角形の平面状にそれぞれ形成されている。各傾斜面６２ａは、対応する光源部４０から離間する程、背面側へ向かうように傾斜している。
【００４８】
裏反射面６３は、平面図上の二等辺三角形状において底辺に対応する位置に配置され、対応する光源部４０とは複合反射面６２を挟んで反対側に配置され、複合反射面６２の各傾斜面６２ａとは逆の傾斜をなしており、対応する光源部４０から離間する程、目視側へ向かうように傾斜している。
【００４９】
対応する光源部４０から各複合反射素子６１に光源光が到達すると、その大半（例えば７０〜８０％程度）は、複合反射面６２を主体として背面側に反射され、背景表示板２２において図柄ＰＴＮに重なる重畳範囲を、薄らと照明する。他方、残り（例えば２０〜３０％）は、裏反射面６３を主体として目視側に反射され、乗員からは直接光として認識される。換言すると、第２表面発光部３９に到達した光源光は、目視側に比べて反目視側に多く反射される。他方、第１表面発光部３９に到達した光源光は、底面５２での拡散反射等によって、目視側にも多く反射される。この結果、本実施形態では、第２表面発光部３９の図柄ＰＴＮは、第１表面発光部３６に比べて低輝度かつシルエット感の高い表示として視認される。
【００５０】
（作用効果）
以上説明した第１実施形態の作用効果を、以下に改めて説明する。
【００５１】
第１実施形態によると、一方の表面部３８に設けられた一表面発光部としての第２表面発光部３９と、他方の表面部３５に設けられた他表面発光部としての第１表面発光部３６とが、それぞれ発光する。したがって、透光板３０の本体部３３を挟んで互いに距離を隔てて対向する各位置から発光が実施される。故に、透光板３０の厚みを活用して、発光に立体感を生じさせることができるので、立体感のある表示演出を実現することができる。
【００５２】
また、第１実施形態によると、表面発光部３６，３９のうち少なくとも片方は、本体部３３に導入された光源光を反射して発光する反射部を有する。このような反射部は、透光板３０の表面部３５，３８への加工によって容易に形成することができ、また、本体部３３に導入された光源光を利用するので、透光板３０を採用して立体感を演出する本態様への採用に極めて好適である。
【００５３】
また、第１実施形態によると、透光板３０よりも背面側において、透光板３０と重畳するように配置され、情報を表示する情報表示部としての指針部２３を、さらに備える。このような透光板３０の両表面発光部３６，３９に、指針部２３が重畳することにより、透光板３０に対する奥行感が付与されて、さらなる立体感を醸し出すことができる。
【００５４】
また、第１実施形態によると、指針部２３と、第１表面発光部３６の反射を用いた情報の表示とが組み合わされると共に、第２表面発光部３９が指針部２３の表示内容を加飾する。すなわち、指針部２３に対して、両表面発光部３６，３９が異なるアプローチにて組み合わさるので、指針部２３と透光板３０との間で、立体感に加えて、格別なる一体感を醸し出すことができる。
【００５５】
また、第１実施形態によると、第１表面発光部３６は、車両の状態を表す表示を発光する。車両の状態を表されることにより、車両用として好適な表示装置１００を提供することができる。
【００５６】
また、第１実施形態によると、第２表面発光部３９は、光源光を他方の表面部３５側に反射し、第１表面発光部３６は、光源光を一方の表面部３８側に反射する。このような互いに異なる方向への反射によって、両表面発光部３６，３９の間で見栄えの相違を生じさせることができるので、立体感をさらに高めることができる。
【００５７】
また、第１実施形態によると、第２表面発光部３９は、反射素子６０の集合により形成された図柄ＰＴＮを面状に発光する集合面状発光構造ＰＬＳを含む。こうした集合面状発光構造ＰＬＳによれば、面状の発光で表面部３８の面形状が明らかになることによって両表面部３５，３８の距離感が強調され、同時に図柄ＰＴＮの輝きが一層強調されるので、立体感をさらに高めることができる。
【００５８】
また、第１実施形態によると、第１表面発光部３６は、本体部３３に導入された光源光を反射穴５０が反射して発光する反射穴発光構造ＨＬＳを含む。こうした反射穴発光構造ＨＬＳによれば、反射穴５０に設けられた側壁面５１と底面５２との間の凹凸感によって、立体感をさらに高めることができる。
【００５９】
また、第１実施形態によると、目視側から視認される第２表面発光部３９の輝度と、目視側から視認される第１表面発光部３６の輝度とは、互いに異なるように設定されている。輝度を互いに異ならせることで、両表面発光部３６，３９の間で見栄えの相違を生じさせることができるので、立体感をさらに高めることができる。
【００６０】
また、第１実施形態によると、目視側から視認される第２表面発光部３９の輝度は、目視側から視認される第１表面発光部３６の輝度よりも、低く設定されている。すなわち、第１表面発光部３６よりも目視側に位置する第２表面発光部３９の輝度を、抑え気味にしているので、背面側の第１表面発光部３６の存在感が発揮されて、両表面発光部３６，３９間の距離感を十分に感じさせることができる。
【００６１】
なお、上記実施形態では、第１表面部３５が「他方の表面部」に対応し、第２表面部３８が「一方の表面部」に対応するように記載されていたが、第１表面部３５が「一方の表面部」に対応し、第２表面部３８が「他方の表面部」に対応するように、記載を読み替えること又は実施形態を変更することが可能である。同様に、上記実施形態では、第１表面発光部３６が「他表面発光部」ないし「他表面反射部」に対応し、第２表面発光部３９が「一表面発光部」ないし「一表面反射部」に対応するように記載されていたが、第１表面発光部３６が「一表面発光部」ないし「一表面反射部」に対応し、第２表面発光部３９が「他表面発光部」ないし「他表面反射部」に対応するように、記載を読み替えること又は実施形態を変更することが可能である。
【００６２】
（第２実施形態）
図６〜９に示すように、第２実施形態は第１実施形態の変形例である。第２実施形態について、第１実施形態とは異なる点を中心に説明する。
【００６３】
第２実施形態の表示装置２００において第１表面発光部２３６は、集合面状発光構造ＰＬＳを含んでいる。特に本実施形態の第１表面発光部２３６は、全て集合面状発光構造ＰＬＳにより構成されている。
【００６４】
第１表面発光部２３６において、多数の反射素子６０が第１表面部２３５に沿って２次元的に並んで適宜配置されることにより、図柄ＰＴＮが形成されている。特に本実施形態の第１表面発光部２３６による図柄ＰＴＮでは、目盛の形態をなした目盛図柄ＰＴＮ３、及び文字の形態をなした文字図柄ＰＴＮ４がそれぞれ複数ずつ設けられている。こうした目盛図柄ＰＴＮ３及び文字図柄ＰＴＮ４を主体として、指針２５によって指示される指標が構成されている。
【００６５】
複数の目盛図柄ＰＴＮ３は、指針２５の回転中心に対して同心円状に、かつ部分円環状に配列されている。各目盛図柄ＰＴＮ３は、回転中心に対する放射方向に伸びる略矩形状の輪郭をなしている。複数の目盛図柄ＰＴＮ３は、さらに主目盛図柄と、主目盛図柄よりも小さなサイズの副目盛図柄とに分かれている。
【００６６】
複数の文字図柄ＰＴＮ４は、回転中心を基準として主目盛反射穴よりも内周側に配置され、文字として、主目盛図柄に対応する文字を、輪郭により形成している。
【００６７】
こうして第１表面発光部２３６は、透光板３０において、指針部２３の表示内容と組み合わされて、情報を表示する部位に配置されている。
【００６８】
第１表面発光部２３６の反射素子６０は、第１実施形態と同様の形状を呈する複合反射素子６１となっている（形状は図４〜６を参照）。複合反射面６２の各傾斜面６２ａは、対応する光源部４０から離間する程、目視側へ向かうように傾斜している。裏反射面６３は、複合反射面６２の各傾斜面６２ａとは逆の傾斜をなしており、対向する光源部４０から離間する程、背面側へ向かうように傾斜している。
【００６９】
対応する光源部４０から第１表面発光部３６の各複合反射素子６１に光源光が到達すると、その大半（例えば７０〜８０％程度）は、複合反射面６２を主体として目視側に反射され、乗員からは直接光として認識される。
【００７０】
第２実施形態において第２表面発光部３９は、第１実施形態と同様に、集合面状発光構造ＰＬＳにより構成されている。反射素子６０（複合反射素子６１）の形状は、第１実施形態と同様であるため、第１表面発光部３６に比べて低輝度のシルエット感の高い表示として視認される。
【００７１】
第２実施形態の第２表面発光部３９による図柄ＰＴＮは、一重のリング図柄ＰＴＮ５となっている。したがって第２表面発光部３９は、透光板３０において、指針部２３の表示内容を加飾する部位に配置されている。ただし、図９に示すように、リング図柄ＰＴＮ５の内周側は、第１表面発光部３６による目盛図柄ＰＴＮ３の外周側端部と、部分的に重畳している。
【００７２】
この重畳部分ＯＬでは、比較的高輝度かつ輪郭を明瞭に表示された目盛図柄ＰＴＮ３の外周側端部と、比較的低輝度かつシルエット感が高く表示されたリング図柄ＰＴＮ５とが、組み合わさることにより、他部分とは異なる不思議な見え方となる。このため、透光板３０による表示において当該重畳部分ＯＬがアクセントとなる。
【００７３】
以上説明した第２実施形態によると、第２表面発光部２３９と、第１表面発光部２３６とは、透光板３０の板厚方向ＴＤにおいて部分的に重畳している。この重畳部分ＯＬが両表面発光部２３６，２３９の輝度を合わせた発光となるので、表示のアクセントとなり、立体感をさらに高めることができる。
【００７４】
（第３実施形態）
図１０，１１に示すように、第３実施形態は第１実施形態の変形例である。第３実施形態について、第１実施形態とは異なる点を中心に説明する。
【００７５】
第３実施形態の表示装置３００において第１表面発光部３３６は、透過自発光部ＴＳＬを有している。本実施形態の透過自発光部ＴＳＬには、透光板３０の第１表面部３３５に貼り付けられて形成され、透光性を有し、自発光するＥＬ素子７１が採用されている。ＥＬ素子７１は、エレクトロルミネッセンスを用いて自発光可能に形成されている。より詳細には、自発光には、有機エレクトロルミネッセンスないしは無機エレクトロルミネッセンスを用いることができる。
【００７６】
本実施形態では、本体部３３及び透過自発光部ＴＳＬを挟むように一対の透明電極７２が第１表面部３３５及び第２表面部３３８に配置されている。各透明電極７２は、例えば酸化インジリウムスズ（ＩＴＯ）、酸化亜鉛、グラフェン等によって透光性及び導電性を兼ね備えて形成することができる。各透明電極７２には、同じく透光性及び導電性を兼ね備えた透明端子７３が接続されている。こうして透明端子７３を介して一対の透明電極７２間に電圧を印加することにより、ＥＬ素子７１を自発光させることができる。
【００７７】
第３実施形態において第２表面発光部３３９にも、第１表面発光部３３６と同様に透過自発光部ＴＳＬが採用されている。第２表面発光部３３９では、ＥＬ素子７１が透光板３０の第２表面部３３８に貼り付けて形成されている。
【００７８】
また、第３実施形態の表示装置３００は、輝度制御部７５を有している。輝度制御部７５は、いわゆるコンピュータであり、少なくとも１つのプロセッサ、メモリ装置、入出力インターフェースを含む電子回路を主体として構成されている。プロセッサは、メモリ装置に記憶されているコンピュータプログラムを実行する演算回路である。メモリ装置は、例えば半導体メモリ等によって提供され、プロセッサによって読み取り可能なコンピュータプログラム及びデータを非一時的に格納するための非遷移的実体的記憶媒体である。
【００７９】
輝度制御部７５は、透明端子７３等を通じて、各ＥＬ素子７１に電気的に接続されている。輝度制御部７５、各ＥＬ素子７１毎に、一対の透明電極７２間の電圧を調整することにより、各ＥＬ素子７１の輝度を制御する。特に本実施形態の輝度制御部７５は、第１表面発光部３３６の透過自発光部ＴＳＬの輝度と、第２表面発光部３３９の透過自発光部ＴＳＬの輝度とを、互いに異ならせるように制御している。輝度制御部７５は、例えば、第１表面発光部３３６の透過自発光部ＴＳＬの輝度が、第２表面発光部３３９の透過自発光部ＴＳＬの輝度よりも高くなるように、制御する。
【００８０】
以上説明した第３実施形態によると、一表面発光部としての第２表面発光部３３９及び他表面発光部としての第１表面発光部３３６のうち少なくとも片方は、透光性を有し、自発光する透過自発光部ＴＳＬを有する。このような透過自発光部ＴＳＬは、透光板３０の透光性を阻害せずに配置することができ、また、本体部３３への光の供給量に依らずに、自律して発光態様を設定することができるので、立体感のある表示演出において、多様性をもたらすことができる。
【００８１】
また、第３実施形態によると、第２表面発光部３３９の輝度と、第１表面発光部３３６の輝度とを、互いに異ならせるように制御する輝度制御部７５を、さらに備える。このような輝度制御部７５により、両表面発光部３３６，３３９の輝度の相違に基づく立体感を、演出意図に合わせて制御することができる。
【００８２】
また、第３実施形態によると、透過自発光部ＴＳＬは、エレクトロルミネッセンス（例えば有機エレクトロルミネッセンス）を用いて自発光する。したがって、自発光を容易に実現することができる。
【００８３】
なお、上記実施形態では、第１表面発光部３３６が「他表面発光部」に対応し、第２表面発光部３３９が「一表面発光部」に対応するように記載されていたが、第１表面発光部３３６が「一表面発光部」に対応し、第２表面発光部３３９が「他表面発光部」に対応するように、記載を読み替えること又は実施形態を変更することが可能である。同様に、上記実施形態では、第１表面発光部３３６の透過自発光部ＴＳＬが「他透過自発光部」に対応し、第２表面発光部３３９の透過自発光部ＴＳＬが「一透過自発光部」に対応するように記載されていたが、第１表面発光部３３６の透過自発光部ＴＳＬが「一透過自発光部」に対応し、第２表面発光部３３９の透過自発光部ＴＳＬが「他透過自発光部」に対応するように、記載を読み替えること又は実施形態を変更することが可能である。
【００８４】
（他の実施形態）
以上、複数の実施形態について説明したが、本開示は、それらの実施形態に限定して解釈されるものではなく、本開示の要旨を逸脱しない範囲内において種々の実施形態及び組み合わせに適用することができる。
【００８５】
具体的に変形例１としては、図１２に示すように、第１表面部３５上又は第２表面部３８上に、薄板状の追加透光板３０ａを貼り付けてもよい。追加透光板３０ａと透光板３０とは、例えば光学接着剤により接合されている。そして、例えば追加透光板３０ａの透光板３０と接している側に、光源光が入射する形態にて集合面状発光構造ＰＬＳ又は反射穴発光構造ＨＬＳを形成することによって、第１表面発光部３６又は第２表面発光部３９が形成されていてもよい。
【００８６】
第１，２実施形態に関する変形例２としては、集合面状発光構造ＰＬＳの反射素子６０として、複合反射素子６１以外の各種形状を採用することができる。
【００８７】
第１，２実施形態に関する変形例３としては、背景表示板２２を例えば白色に形成して、第１表面発光部３６から背景表示板２２を照明することによって、当該背景表示板２２を光源部４０が発した光源光に基づいた色に彩色することができる。また、反射素子６０の形状を調整することによって、各反射素子６０からの照明の強度に強弱をつけて、背景表示板２２をグラデーション調に照明することができる。
【００８８】
変形例４としては、第１表面発光部３６に採用される発光態様と、第２表面発光部３９に採用される発光態様とにおいて、集合面状発光構造ＰＬＳ、反射穴発光構造ＨＬＳ、透過自発光部ＴＳＬ、及びその他発光態様を、自由に組み合わせて構成することができる。第１表面発光部３６の輝度と第２表面発光部３９の輝度との大小関係は、こうした構造の具体的形状を適宜変更することによって、調整することができる。
【００８９】
変形例５としては、透光板３０よりも背面側に、透光板３０と重畳するように配置された情報表示部を設けなくてもよい。
【００９０】
変形例６としては、表示装置１００は、車両に用いられるものに限られず、例えば航空機、船舶等の移動体に用いられる表示装置、冷蔵庫等の家電製品、スマートフォン等の情報通信機器、ゲーム、パチンコ等の遊技機、街頭広告等に用いられる表示装置であってもよい。第１表面発光部３６、第２表面発光部３９、及び情報表示部が表示する各表示内容も、表示装置１００の目的に合わせて任意に設定することができる。
【符号の説明】
【００９１】
１００，２００，３００  表示装置、３３  本体部、３５，２３５，３３５  第１表面部（他方の表面部）、３６，２３６，３３６  第１表面発光部（他表面発光部）、３８，２３８，２３９  第２表面部（一方の表面部）、第２表面発光部（一表面発光部）
【図１】
2020024297.tif 000003
【図２】
2020024297.tif 000004
【図３】
2020024297.tif 000005
【図４】
2020024297.tif 000006
【図５】
2020024297.tif 000007
【図６】
2020024297.tif 000008
【図７】
2020024297.tif 000009
【図８】
2020024297.tif 000010
【図９】
2020024297.tif 000011
【図１０】
2020024297.tif 000012
【図１１】
2020024297.tif 000013
【図１２】
2020024297.tif 000014